(57)【要約】【課題】略円筒面形状の外周面を有するとともに水平面に置いたときに転がり難いキャップを提供する。【解決手段】キャップ１は、略円筒面形状の外周面４と外周面４に連なる頂面５とを有し、外周面４が、実質的な円筒面形状の下側外周面４ａと、下側外周面４ａの上端縁に実質的に連続的に連なるとともに頂面５の外周縁に実質的に不連続的に連なる実質的な略球帯形状の上側外周面４ｂとからなり、キャップ１の重心Ｇが、下側外周面４ａの上端縁よりも上方に位置し、Ａを下側外周面４ａの上端縁を含む平面から重心Ｇまでの上下方向の長さとし、Ｂを上側外周面４ｂの上下方向の長さとし、Ｄを頂面５の直径とし、Ｅを下側外周面４ａの直径としたときに、Ａ／Ｂ≧１／３且つＤ／Ｅ≦３／４である。【選択図】図２
2020138750.tif 000002
【特許請求の範囲】
【請求項１】
容器本体の口部に着脱可能なキャップであって、
略円筒面形状の外周面と前記外周面に連なる頂面とを有し、
前記外周面が、実質的な円筒面形状の下側外周面と、前記下側外周面の上端縁に実質的に連続的に連なるとともに前記頂面の外周縁に実質的に不連続的に連なる実質的な略球帯形状の上側外周面とからなり、
前記キャップの重心が、前記下側外周面の前記上端縁よりも上方に位置し、
Ａを前記下側外周面の前記上端縁を含む平面から前記重心までの上下方向の長さとし、
Ｂを前記上側外周面の上下方向の長さとし、
Ｄを前記頂面の直径とし、
Ｅを前記下側外周面の直径としたときに、
Ａ／Ｂ≧１／３且つＤ／Ｅ≦３／４であるキャップ。
【請求項２】
前記上側外周面が、実質的な球帯形状である、請求項１に記載のキャップ。
【請求項３】
前記頂面が、実質的な平面形状である、請求項１又は２に記載のキャップ。
【発明の詳細な説明】
【技術分野】
【０００１】
本発明は、キャップに関する。
【背景技術】
【０００２】
内容物として例えばドレッシング等の食品又は化粧品などを収容する容器のキャップが知られている（例えば特許文献１参照）。このようなキャップは、内容物を収容する容器本体の口部に着脱可能に構成されている。キャップを、口部から取り外すことにより、口部から内容物を吐出することができる。
【先行技術文献】
【特許文献】
【０００３】
【特許文献１】特開２００５−１８６９７７号公報
【発明の概要】
【発明が解決しようとする課題】
【０００４】
外観意匠性の観点などから、上記のようなキャップを略円筒面形状の外周面を有するものとした場合には、キャップを容器本体から取り外してテーブルなどの水平面に置いたときに、置き方によってはキャップが転がり落ち、破損したり紛失したりするおそれがある。
【０００５】
本発明の目的は、略円筒面形状の外周面を有するとともに水平面に置いたときに転がり難いキャップを提供することにある。
【課題を解決するための手段】
【０００６】
本発明の一態様に係るキャップは、容器本体の口部に着脱可能なキャップであって、略円筒面形状の外周面と前記外周面に連なる頂面とを有し、前記外周面が、実質的な円筒面形状の下側外周面と、前記下側外周面の上端縁に実質的に連続的に連なるとともに前記頂面の外周縁に実質的に不連続的に連なる実質的な略球帯形状の上側外周面とからなり、前記キャップの重心が、前記下側外周面の前記上端縁よりも上方に位置し、Ａを前記下側外周面の前記上端縁を含む平面から前記重心までの上下方向の長さとし、Ｂを前記上側外周面の上下方向の長さとし、Ｄを前記頂面の直径とし、Ｅを前記下側外周面の直径としたときに、Ａ／Ｂ≧１／３且つＤ／Ｅ≦３／４である。
【０００７】
本発明に係るキャップは、前記上側外周面が、実質的な球帯形状であってもよい。
【０００８】
本発明に係るキャップは、前記頂面が、実質的な平面形状であってもよい。
【発明の効果】
【０００９】
本発明によれば、略円筒面形状の外周面を有するとともに水平面に置いたときに転がり難いキャップを提供することができる。
【図面の簡単な説明】
【００１０】
【図１】本発明の一実施形態に係るキャップを有する容器を示す側面図である。
【図２】図１に示すキャップの縦断面図である。
【発明を実施するための形態】
【００１１】
以下、図面を参照して、本発明の実施形態に係るキャップについて詳細に例示説明する。
【００１２】
図１に示すように、本実施形態に係るキャップ１と容器本体２とにより、容器３が構成されている。キャップ１は、容器本体２の口部に着脱可能に構成されている。口部は、中心軸線Ｏを中心とする円筒状であり、口部の一端には、口部と同心の有底円筒状の胴部が連なっている。しかし、容器本体２の形状は、これに限らない。口部からキャップ１を取り外すことにより、口部から内容物を吐出することができる。口部の外周面には、キャップ１と螺合する雄ねじ部が設けられている。しかし、口部とキャップ１とは、このような螺合に代えて、アンダーカット形状を介した係合によって互いに着脱可能であってもよい。容器３は、内容物として例えばドレッシング等の食品又は化粧品などを収容するように構成されているが、これに限定されない。容器本体２及びキャップ１は、それぞれ、例えば合成樹脂製であってよいが、これに限定されない。容器本体２及びキャップ１は、それぞれ、１つの部材からなっていてもよいし、複数の部材からなっていてもよい。
【００１３】
図２に示すように、キャップ１は、略円筒面形状の外周面４と、外周面４に連なる頂面５とを有している。キャップ１について、上方とは、外周面４の中心軸線Ｏに沿って頂面５が位置する側に向かう方向を意味し、下方とは、その反対方向を意味する。キャップ１について、周方向及び径方向とは、外周面４の中心軸線Ｏに関する周方向及び径方向を意味する。キャップ１について、軸方向とは、上下方向を意味する。縦断面とは、外周面４の中心軸線Ｏを含む平面による断面を意味する。
【００１４】
外周面４は、円筒面形状の下側外周面４ａと、下側外周面４ａの上端縁に連続的に連なるとともに頂面５の外周縁に実質的に不連続的に連なる球帯形状の上側外周面４ｂとからなっている。
【００１５】
下側外周面４ａが「円筒面形状」であるとは、下側外周面４ａが周方向に一定の縦断面形状を有し、縦断面形状が軸方向に延在する直線形状であることを意味する。下側外周面４ａは、円筒面形状に限らず、実質的な円筒面形状であればよい。「実質的な円筒面形状」とは、円筒面形状に限らず、円筒面形状に局所的な凹部、溝又は孔などの形状を加えた形状も含む。
【００１６】
上側外周面４ｂが「球帯形状」であるとは、上側外周面４ｂが周方向に一定の縦断面形状を有し、縦断面形状が一定の曲率で外側に膨らむ形状であることを意味する。上側外周面４ｂは、球帯形状に限らず、実質的な球帯形状であってもよい。「実質的な球帯形状」とは、球帯形状に限らず、球帯形状に局所的な凹部、溝又は孔などの形状を加えた形状も含む。上側外周面４ｂは、実質的な球帯形状であることが好ましいが、実質的な略球帯形状であればよい。上側外周面４ｂが「略球帯形状」であるとは、上側外周面４ｂが「球帯形状」である場合に限らず、上側外周面４ｂが周方向に一定の縦断面形状を有し、縦断面形状が一定でない曲率で外側に膨らむ形状である場合も含む。「実質的な略球帯形状」とは、略球帯形状に限らず、略球帯形状に局所的な凹部、溝又は孔などの形状を加えた形状も含む。
【００１７】
上側外周面４ｂが下側外周面４ａの上端縁に「連続的に連なる」とは、縦断面において上側外周面４ｂの下端が下側外周面４ａの上端に接している（つまり、上側外周面４ｂの下端の接線と下側外周面４ａの上端の接線とが一致している）ことを意味する。上側外周面４ｂと下側外周面４ａの上端縁とは、連続的に連なる必要はなく、実質的に連続的に連なっていればよい。「実質的に連続的に連なる」とは、連続的に連なる場合に限らず、連続的に連なる部分に局所的な凹部、溝又は孔などを加えた場合も含む。
【００１８】
上側外周面４ｂが頂面５の外周縁に「不連続的に連なる」とは、縦断面において上側外周面４ｂの上端が頂面５の径方向外側端に接していない（つまり、上側外周面４ｂの上端の接線と頂面５の径方向外側端の接線とが一致していない）ことを意味する。「実質的に不連続的に連なる」とは、不連続的に連なる場合に限らず、不連続的に連なる部分にＣ面又はＲ面などの面取りを加えた場合も含む。本実施形態では、上側外周面４ｂが頂面５の外周縁に連なる部分にＲ面の面取りを加えているが、Ｒ面の面取りに代えてＣ面の面取りを加えてもよいし、面取りを加えなくても（つまり、上側外周面４ｂが頂面５の外周縁に不連続的に連なっていても）よい。
【００１９】
頂面５は、実質的な平面形状である。「実質的な平面形状」とは、平面形状に限らず、平面形状に局所的な凹部、溝又は孔などの形状を加えた形状も含む。本実施形態では、頂面５は、平面形状に上面視中央に位置する円形の凹部を加えた形状であるが、これ以外の実質的な平面形状であってもよいし、平面形状であってもよい。頂面５は、実質的な平面形状に限らず、例えば、下方に凸となる球面形状等であってもよい。
【００２０】
外周面４を、「実質的な円筒面形状」の下側外周面４ａと、下側外周面４ａの上端縁に「実質的に連続的に連なる」とともに頂面５の外周縁に「実質的に不連続的に連なる」「略球帯形状」の上側外周面４ｂとから構成することは、外周面４に「略円筒面形状」の外観をもたせるための前提条件である。
【００２１】
キャップ１は、外周面４を有する略円筒状の最外周壁６と、最外周壁６の上端に連なるとともに頂面５を有する円板状の頂壁７とを有している。また、キャップ１は、頂壁７の外周縁から垂下する円筒状の係合筒８と、係合筒８の径方向内側で頂壁７から垂下する係合筒８と同心の円筒状の内筒９とを有している。最外周壁６の内周面形状及び頂壁７の下面形状は適宜変更が可能である。また、係合筒８及び内筒９の形状は適宜変更が可能である。その他にも、キャップ１の内側の形状は、さらなる筒状部やリブを設けるなど、適宜変更が可能である。
【００２２】
本実施形態では、キャップ１の重心Ｇは下側外周面４ａの上端縁よりも上方に位置し、さらに、キャップ１は次の条件１に適合するように構成されている。重心Ｇの位置は、外周面４の上下方向の長さであるＣを調整すること等により、調整することができる。
条件１：Ａ／Ｂ≧１／３且つＤ／Ｅ≦３／４
ただし、
Ａは、下側外周面４ａの上端縁を含む平面から重心Ｇまでの上下方向の長さであり、
Ｂは、上側外周面４ｂの上下方向の長さであり、
Ｄは、頂面５の直径であり、
Ｅは、下側外周面４ａの直径である。
【００２３】
キャップ１は、条件１に適合することにより、容器本体２の口部から取外してテーブルなどの水平面に下側外周面４ａを接地させて置かれたときに、「おきあがりこぼし」のように、起き上がって頂面５で接地することができる。したがって、キャップ１は、水平面に置いたときに転がり難いため、テーブルなどから転がり落ち、破損したり紛失したりするおそれを低減することができる。
【００２４】
Ａ／Ｂが１／３未満である場合には、キャップ１が水平面に下側外周面４ａを接地させて置かれたときにキャップ１を起き上がらせるのに十分なモーメントを得ることができない。Ａ／Ｂは、モーメントを大きくする観点からはできるだけ大きい方がよいが、外周面４に略円筒面形状の外観をもたせるためには、下側外周面４ａの上下方向の長さ（＝Ｃ−Ｂ）をある程度確保する必要があるため、Ａ／Ｂを無制限に大きくすることはできない。Ａ／Ｂの値は、１／３以上の範囲で、外周面４の外観を考慮して適宜設定することができる。
【００２５】
Ｄ／Ｅが３／４より大きい場合にも、キャップ１が水平面に下側外周面４ａを接地させて置かれたときにキャップ１を起き上がらせるのに十分なモーメントを得ることができない。Ｄ／Ｅは、モーメントを大きくする観点からはできるだけ小さい方がよいが、外周面４に略円筒面形状の外観をもたせるためには、無制限に小さくすることはできない。Ｄ／Ｅの値は、３／４以下の範囲で、外周面４の外観を考慮して適宜設定することができる。
【００２６】
前述した本実施形態は、本発明の実施形態の一例にすぎず、発明の要旨を逸脱しない範囲で種々変更可能であることはいうまでもない。
【実施例】
【００２７】
本発明の実施例１〜３として、図２に示す形状であり、Ａ〜Ｅを表１に示すように変化させた点以外は同一の形状、寸法とした３種類のキャップを製作した。また、比較例１〜３として、Ａ〜Ｅを表１に示すように変化させた点以外は発明例と同一の形状、寸法とした３種類のキャップを製作した。実施例、比較例のいずれのキャップも、ポリプロピレン樹脂による一体成形物とした。
【００２８】
【表１】
2020138750.tif 000003
【００２９】
条件１に適合する実施例１〜３は、いずれも、水平面に下側外周面を接地させて置いたときに起き上がった。これに対し、条件１に適合しない比較例１〜３は、いずれも、水平面に下側外周面を接地させて置いたときに起き上がらなかった。
【符号の説明】
【００３０】
１  キャップ
２  容器本体
３  容器
４  外周面
４ａ  下側外周面
４ｂ  上側外周面
５  頂面
６  最外周壁
７  頂壁
８  係合筒
９  内筒
Ｏ  中心軸線
Ｇ  重心
【図１】
2020138750.tif 000004
【図２】
2020138750.tif 000005